(57)【特許請求の範囲】
【請求項１】
少なくとも一面に開口部が形成され内部に電気部品収納部が形成された器具本体と、誘導用のピクトグラムが表示された表示パネル、この表示パネルの背部に配設された導光体及びこの導光体の上辺部分に配設されその上辺部分から光を導入させる光源を有して器具本体の開口部に配設される表示手段と、光源を点灯させるための点灯関連部品を含み器具本体の電気部品収納部に配設される光源点灯手段とを有する表示装置と；  器具本体が設けられるとともに器具本体の側部を覆うように形成されており、少なくとも一面に開口が形成されているシャーシと；  シャーシの開口の縁部を覆い、かつ、シャーシに着脱自在で設けられ、表示パネルと対向するように窓孔が形成されている化粧枠と；  化粧枠の窓孔に表示パネルに対向するように設けられ、導光体及び表示パネルの並設方向を基準として表示パネルから出射する出射光のうちの出射角が４５度を超える出射光が前記出射角よりも小さい角度で入射するように、かつ表示パネルに対して左右対称であって前記並設方向において外面が断面略Ｖ字状となるように、化粧枠よりも外方へ突出形成された透光性を有する前面カバーと；を具備することを特徴とする誘導灯装置。
【発明の詳細な説明】
【０００１】
【発明の属する技術分野】
本発明は、表示パネルの前面に透光性のカバーを設ける誘導灯装置に関する。
【０００２】
【従来の技術】
器具本体に装着される表示手段が、表示パネルと、表示パネルの背部に配設された導光体及びこの導光体の側部に配設されその側部から光を導入させる光源を有する構成からなる表示装置である誘導灯に関して、表示パネルの前面に透光性のカバーを設け、防水構造等を実現するための構成として出願人は特開平２０００−２２２９１６号公報に記載されている技術（以下、従来技術とする。）を公開している。この従来技術は、上記構造の誘導灯に器具本体が固定されるとともにその側部周りを覆う枠状の第１カバーと、第１カバーに着脱自在で器具本体の表示パネル側を覆う透光性を有する第２カバーと、器具本体の第２カバーと対向する反対面側を覆う第３カバーとの水密構造よりなる防水パックを具備させたものである。これにより、防水パックを第１〜第３カバーによる３ピース構造としたので、防水パック内に収容される表示装置が片面表示タイプのものでも両面表示タイプのものでも第２カバー又は第３カバーを第１カバーから外すことにより、光源などの部品交換を行なうことができ、また、防水パック内に収容される表示装置には変更を要しないため、表示装置自体は防水用のものと屋内用のものとで同一でよく、器具の共通化を図れるため、コスト低減を図ることができるというものである。
【０００３】
【発明が解決しようとする課題】
しかしながら、従来技術は表示パネルを覆うように透光性を有する第２カバーを設けることにより、表示パネルから出射される光が第２カバー内で反射されて誘導灯装置の視認性を低下させてしまうことがあった。
【０００４】
すなわち、従来技術の誘導灯装置を表示パネルに対して正対するように人が見る場合には大きな問題にはならないが、表示パネルに対してある程度の角度をもって見た場合には表示パネルの輝度が低いように感じられる場合があり、視認性が若干低下することがあった。
【０００５】
なお誘導灯装置は、非常時に避難口等へ適切に誘導することを目的として設置されるものであるから、あらゆる角度から表示パネルを見た場合であっても表示パネルを視認しやすくなっていることが好ましい。
【０００６】
したがって、前面カバーを設けることにより、表示装置である誘導灯が有する視認性を低下させてしまうことは好ましいことではなかった。
【０００７】
本発明は上記に鑑みたものであり、装置の設置位置から考えて特に水平方向から見た場合の視認性を向上できる誘導灯装置を提供することを目的とする。
【０００８】
【課題を解決するための手段】
請求項１記載の誘導灯装置は、少なくとも一面に開口部が形成され内部に電気部品収納部が形成された器具本体と、誘導用のピクトグラムが表示された表示パネル、この表示パネルの背部に配設された導光体及びこの導光体の上辺部分に配設されその上辺部分から光を導入させる光源を有して器具本体の開口部に配設される表示手段と、光源を点灯させるための点灯関連部品を含み器具本体の電気部品収納部に配設される光源点灯手段とを有する表示装置と；器具本体が設けられるとともに器具本体の側部を覆うように形成されており、少なくとも一面に開口が形成されているシャーシと；シャーシの開口の縁部を覆い、かつ、シャーシに着脱自在で設けられ、表示パネルと対向するように窓孔が形成されている化粧枠と；化粧枠の窓孔に表示パネルに対向するように設けられ、導光体及び表示パネルの並設方向を基準として表示パネルから出射する出射光のうちの出射角が４５度を超える出射光が前記出射角よりも小さい角度で入射するように、かつ透光パネルに対して左右対称であって前記並設方向において外面が断面略Ｖ字状となるように、化粧枠よりも外方へ突出形成された透光性を有する前面カバーと；を具備することを特徴とする。
【０００９】
本発明は、まず、表示装置の表示パネルから光が出射されると、その光は前面カバーに到達する。そして、前面カバー側から見て導光体及び表示パネルとの並設方向を基準とした場合、表示パネルからの出射角が４５度以下である光は、前面カバーにおいて殆ど内面反射しないで前面カバーへ入射するので、この入射した光が前面カバーから効率よく出射される。また、前面カバー側から見て導光体及び表示パネルとの並設方向を基準として、出射角が４５度以上である角度で出射された出射光についても光調整手段により前面カバーで内面反射される割合が低下されるので、その殆どが前面カバーへ入射し、この入射した光が前面カバーから出射される。
【００１０】
請求項１の発明によれば、少なくとも一面に開口部が形成され内部に電気部品収納部が形成された器具本体と、誘導用のピクトグラムが表示された表示パネル、この表示パネルの背部に配設された導光体及びこの導光体の上辺部分に配設されその上辺部分から光を導入させる光源を有して器具本体の開口部に配設される表示手段と、光源を点灯させるための点灯関連部品を含み器具本体の電気部品収納部に配設される光源点灯手段とを有する表示装置と；器具本体が設けられるとともに器具本体の側部を覆うように形成されており、少なくとも一面に開口が形成されているシャーシと；シャーシの開口の縁部を覆い、かつ、シャーシに着脱自在で設けられ、表示パネルと対向するように窓孔が形成されている化粧枠と；化粧枠の窓孔に表示パネルに対向するように設けられ、導光体及び表示パネルの並設方向を基準として表示パネルから出射する出射光のうちの出射角が４５度を超える出射光が前記出射角よりも小さい角度で入射するように、かつ透光パネルに対して左右対称であって前記並設方向において外面が断面略Ｖ字状となるように、化粧枠よりも外方へ突出形成された透光性を有する前面カバーと；を具備することにより、表示パネルの前面側へ透光性を有する前面カバーが設けられたとしても視認性が低下することを抑制することができる。
【００１７】
【発明の実施の形態】
本発明の一実施形態を図面を参照して説明する。
【００１８】
図１は本実施形態の表示装置を示す分解斜視図、図２は本実施形態の誘導灯装置である防水形誘導灯を示す一部切欠き正面図、図３は同じく防水形誘導灯の側面図、図４は同じく防水形誘導灯の斜視図、図５は本実施形態の前面カバーを示す正面図、図６は図５の前面カバーを示す側面図、図７は本実施形態で使用するアクリル樹脂の特性を示す説明図、図８は本実施形態の作用を説明する概略説明図、図９は本実施例と比較するための概略説明図である。
【００１９】
まず図１を参照して、表示装置１の構成を説明する。この表示装置１はそれ自体は屋内であればそのまま使用される誘導灯であり、樹脂製の器具本体５を有する。この器具本体５は周囲に四角形状の枠部６を有し、この枠部６の前面側には開口部７が形成され、背面側は背面板８で閉塞されている。これらの枠部６及び背面板８で閉塞された部分は電気部品収納部９が形成されている。
【００２０】
また、枠部６の上辺には天井面などに取付ける際に、図示しない電源線を導出するための電源線導出用開口１２及びこの電源線導出用開口１２を中心とした対称位置にねじ挿通孔１３が形成されている。
【００２１】
また、枠部６の両側には装着部１４が形成され、背面板８にも同様に装着部（図示せず）が開口形成されている。
【００２２】
そして、電気部品収納部９のほぼ中央には、インバータ回路などが収納された光源点灯手段としての点灯ユニット１５が取付けられている。この点灯ユニット１５の上部には端子台１６が取付けられ、これらの点灯ユニット１５・端子台１６間は図示しない配線コードにより電気的に接続されている。さらに、点灯ユニット１５の下部にはバッテリ１８および充電モニタと押し釦式の点検スイッチとを近接配設させてなる点検部１８ａが設けられている。なお、このような点検部１８ａに対応させてシャーシ４１には図示しない点検部用開口が形成されている。
【００２３】
また、枠部６の開口部７には、ほぼ開口部７を閉塞する大きさの表示手段としての表面表示手段１９が設けられている。この表面表示手段１９にはアクリル樹脂にハロゲン化物などの難燃材を添加した難燃性アクリル樹脂板の乳白色の表示パネル２０が取付けられている。表示パネル２０の表面には、誘導表示であるピクトグラム２１が表示され、表示パネル２０の背部には導光体としてのアクリル樹脂製の四角板状の導光板２２が設けられている。さらに、表面表示手段１９の上辺部分には光源２３が取付けられている。この光源２３は、直管型の蛍光ランプでありこの光源２３からの光を導光板２２の方向に反射する断面Ｕ字形の反射板２５が設けられている。なお、この光源２３にはコネクタ（図示せず）を接続するソケット（図示せず）が取付けられている。さらに、導光板２２の裏面側には、装着部１４に対応する取付部２６が突出して形成されている。この取付部２６の先端はテーパ状に形成され、側面には係止用の係止突起２７が突出形成されている。
【００２４】
このような表示装置１の全周を覆い防水性を高めるためにシャーシ４１、化粧枠４５および前面カバー５０が設けられる。
【００２５】
シャーシ４１は、図２または図３に示すように、表示装置１より一回り大きく形成されて表示装置１の側部周りを全周に渡って覆う側部４２と、側部４２と連続するとともに表示装置１の背面板８を覆うように設けれている底面部４３とで構成されており底面部４３と対向するように開口が形成されている。また、シャーシ４１の上辺部分には器具本体５側の電源線導入用開口１２、ねじ挿通孔１３に対応する位置に図示しない電源線導出用開口およびねじ挿通孔が形成されている。また、側部４２にはラッチ構造である一対の固定手段４４が設けられている。
【００２６】
化粧枠４５は、図３または４に示すように、シャーシ４１の側部４２より一回り大きく形成され、かつ、固定手段４４と係合する非固定部４４ａを具備する側面部４６と、側面部４６と連続するとともに表面表示手段１９の表示パネル２０の前面と対応するような窓孔４７が形成されている前面部４８とで構成されている。
【００２７】
前面カバー５０は、図３、４、５及び６に示すように、表示パネル１９を視認し得るようにアクリル樹脂からなり透光性を有するように形成されており、表示パネル１９と対向する表示面部５１が図３または４に示すように、化粧枠４５よりも外方へ突出し、その断面を略Ｖ字状とすることによって光調整手段５１ａとなるように形成されている。なお、この前面カバー５０は、表示面部５１から連続して形成されている平坦部５２、５２・・・が化粧枠４５の前面部４８と表示装置１との間で挟持されることによって設けられるものである。
【００２８】
また、シャーシ４１の上部には金属製の取付部材４が設けられており、この取付部材４にシャーシ４１が取付けられるとともに表示装置１、シャーシ４１、化粧枠４５および前面カバー５０が天井に取付けられる。なお取付部材４にはシャーシ４１および表示装置１がねじにより固定される。
【００２９】
本実施形態は、まず上述した構成の器具本体５と表示手段１９と組合わせて表示装置１を形成する。そして、表示装置１の側部周りが全周に渡って覆われるようにシャーシ４１の開口内に表示装置１を設け、シャーシ４１と表示装置１とを固着する。次に化粧枠４５の窓孔４７に前面カバー５０の表示面部５１を位置させて前面カバー５０を配置し、この状態の化粧枠４５とシャーシ４１とを固定手段４４によって固定させる。そして、表示装置１、化粧枠４５および前面カバー５０とが設けられたシャーシ４１が取付部材４に取付けられることにより誘導灯装置である防水形誘導灯１０が天井に設けられる。
【００３０】
本実施形態の詳細な作用について図７，８および９を用いて説明する。
【００３１】
図７は本実施形態で使用するアクリル樹脂の特性を示す説明図、図８に示したのは本実施形態の導光板２２、表示パネル１９および前面カバー５０とを表した概略説明図、図９に示したものは本実施形態と比較説明するために用いる概略説明構成図である。なお、図９の前面カバー５０’は、アクリル樹脂で平板状に形成されたものであり、以下の光の出射角度および入射角度の説明において用いる基準は、図８および９に示した導光板２２及び表示パネル１９との並設方向である矢印Ａの方向である。
【００３２】
まず比較例について説明すると、図９のような構成である前面カバー５０’は、表示パネル１９から光が出射する角度である出射角θと、この出射角θで出射された出射光が前面カバー５０’へ入射する入射角βとが等しくなるような構造である。したがって、このような構成であると出射角θが大きくなるにつれて前面カバー５０’の内面側で反射される光の割合が増加してしまうことになる。
【００３３】
これは、本実施形態の前面カバー５０のようなアクリル樹脂性の透明材は、その屈折率により反射率が決定されるとともに、透明材への入射角によりその反射率が変化するためである。要するに、一般にアクリル樹脂の屈折率として知られている値（１．４９）に基づき算出したアクリル樹脂の入射角と反射角との関係は図７のようになるので、第一入射角が４５度以上となると入射角が４５度以下のものと比較すると反射率が向上してしまうことが原因で比較例は視認性が低下するのである。
【００３４】
しかしながら、本実施形態であると、表示パネル１９からの出射される光の角度が４５度以上である出射角θで出射されたとしても、図８に示したように光調整手段５１ａにより、前面カバー５０への入射角β’はθ以上とならないようにしているので、前面カバー５０の内面側で反射される光の割合が低減でき、効率的に前面カバー５０内へ光が入射して前面カバー５０から出射される。
【００３５】
本実施形態によれば、前面カバー５０は、表示パネル１９と対向する表示面部５１が化粧枠４５よりも外方へ突出し、断面略Ｖ字状とすることによって光調整手段５１ａが形成されているので、前面カバー５０が設けられても視認性が低下することを抑制することができる。
【００３６】
また、光調整手段５１ａは前面カバー５０の形状を加工するだけであるので、視認性を低下することを確実に抑制するだけではなく、容易に、かつ、低コストで視認性を満足させることができる構成を実現できる。
【００３７】
なお、本実施形態では光調整手段５１ａを断面略Ｖ字状となるように形成しているがその断面は半楕円形状、円弧状等であってもよく、要するに、本目的を達成できる形状であれば特に限定しない。
【００３８】
また、本実施形態では光調整手段を表示パネル１９と対向する表示面部５１が化粧枠４５よりも外方へ突出させることにより形成したが、例えば比較例で示した平板状の前面カバー５０’の表示パネル１９と対向する側に反射防止作用を有する多層膜からなる反射防止手段を施すことにより設けられてもよいし、前面カバー５０’の表示パネル１９と対向する側に微細な凹凸を設ける粗面加工を施すことにより設けられていてもよい。これらのように光調整手段が設けられると、意匠性を損なうことがなく角度特性を向上させることができたり、光調整手段を設ける際のコストを抑制することができる等の効果を有する。
【００３９】
また、入射角β’が出射角θ以上とならないような基準を「出射角θが４５度以上」としているが、この出射角θの基準を図７に示したように、反射特性が大きく変化する６０度以上としてもよく、このような場合には光調整手段５１ａの形成がより容易となるとともに、意匠性もさらに向上させることができる。
【００４０】
【発明の効果】
請求項１の発明によれば、少なくとも一面に開口部が形成され内部に電気部品収納部が形成された器具本体と、誘導用のピクトグラムが表示された表示パネル、この表示パネルの背部に配設された導光体及びこの導光体の上辺部分に配設されその上辺部分から光を導入させる光源を有して器具本体の開口部に配設される表示手段と、光源を点灯させるための点灯関連部品を含み器具本体の電気部品収納部に配設される光源点灯手段とを有する表示装置と；器具本体が設けられるとともに器具本体の側部を覆うように形成されており、少なくとも一面に開口が形成されているシャーシと；シャーシの開口の縁部を覆い、かつ、シャーシに着脱自在で設けられ、表示パネルと対向するように窓孔が形成されている化粧枠と；化粧枠の窓孔に表示パネルに対向するように設けられ、導光体及び表示パネルの並設方向を基準として表示パネルから出射する出射光のうちの出射角が４５度を超える出射光が前記出射角よりも小さい角度で入射するように、かつ透光パネルに対して左右対称であって前記並設方向において外面が断面略Ｖ字状となるように、化粧枠よりも外方へ突出形成された透光性を有する前面カバーと；を具備することにより、表示パネルの前面側へ透光性を有する前面カバーが設けられたとしても視認性が低下することを抑制することができる。
【図面の簡単な説明】
【図１】本実施形態の表示装置を示す分解斜視図
【図２】本実施形態の誘導灯装置である防水形誘導灯を示す一部切欠き正面図
【図３】同じく図２の防水形誘導灯の側面図
【図４】同じく図２の防水形誘導灯の斜視図
【図５】本実施形態の前面カバーを示す正面図
【図６】同じく図５の前面カバーを示す側面図
【図７】本実施形態で使用するアクリル樹脂の特性を示す説明図
【図８】本実施形態の作用を説明する概略説明図
【図９】本実施例と比較するための概略説明図
【符号の説明】
１・・・表示装置、１０・・・誘導灯装置である防水形誘導灯、４１・・・シャーシ、４５・・・化粧枠、５０・・・前面カバー、５１ａ・・・光調整手段
【図１】
0004139988.tif 000002
【図２】
0004139988.tif 000003
【図３】
0004139988.tif 000004
【図４】
0004139988.tif 000005
【図５】
0004139988.tif 000006
【図６】
0004139988.tif 000007
【図７】
0004139988.tif 000008
【図８】
0004139988.tif 000009
【図９】
0004139988.tif 000010